(57)【要約】【課題】高温多湿な環境下での使用や、金属等の導電性のある被着体への貼り付けであっても、薄膜状の金属層の電食を防止できる電食防止ラベルを提供する。【解決手段】電食防止ラベル１０は、ＰＥＴ１１と、ホログラム層１２と、蒸着層１３と、蒸着下層１４と、粘着層１５と、剥離紙１６等とを備え、この順に積層されており、ＰＥＴ１１は、ホログラム層１２を外力による損傷から保護するためと、強度をもたせるためのものであり、ホログラム層１２は、白色光で再生できる２次元又は３次元画像をホログラム画像として記録したものであり、蒸着層１３は、ホログラム層１２のホログラム性能を確保するためのＡＬであり、蒸着下層１４は、被着体と蒸着層１３との通電を防止する非導電性樹脂やフィルムであり、粘着層１５は、この電食防止ラベル１０を被着体の表面に貼り付けるためのものであり、剥離紙１６は、使用時まで粘着層１５を保護するシートである。【選択図】図１
2005248195.tif 000002
【特許請求の範囲】
【請求項１】
被着体に貼り付ける電食防止ラベルであって、
所定の金属が薄膜状に形成された金属層と、
前記金属層の下側に設けられ、前記被着体と前記金属層との通電を防止する通電防止層と、
を備える電食防止ラベル。
【請求項２】
請求項１に記載の電食防止ラベルにおいて、
前記被着体に貼り付けるための粘着層を備え、
前記通電防止層は、前記粘着層と別に設けられていること、
を特徴とする電食防止ラベル。
【請求項３】
請求項１又は請求項２に記載の電食防止ラベルにおいて、
前記金属層の上側に設けられ、ホログラム画像が記録されるホログラム層、及び／又は、光の干渉を起こす回折格子層を備えること、
を特徴とする電食防止ラベル。
【請求項４】
請求項１から請求項３までのいずれか１項に記載の電食防止ラベルにおいて、
前記通電防止層は、非導電性樹脂及び／又はフィルムであること、
を特徴とする電食防止ラベル。
【発明の詳細な説明】
【技術分野】
【０００１】
本発明は、ホログラム層を有するラベル等に好適に利用できる電食防止ラベルに関するものである。
【背景技術】
【０００２】
従来より、各種ラベルや、金券、カード類の偽造、変造、複製等を防止するために、様々な工夫が提案されており、ホログラム層を有するラベル等もその一例である（例えば、特許文献１）。
【０００３】
図４は、従来のホログラムラベルの一例を模式的に示す断面図である。
従来のホログラムラベル２０は、ＰＥＴ（ポリエチレンテレフタレート）２１と、ホログラム層２２と、蒸着層２３と、粘着層２５と、剥離紙２６等とを備え、上から、この順に積層されている。
【０００４】
蒸着層２３は、ホログラム層２２のホログラム効果を増大させるためのものであり、金属蒸着等によって形成された金属層である。
【０００５】
しかし、蒸着層２３は、３５０ｎｍ程度の非常に薄い膜であるため、粘着層２５の粘着面に油脂や汗等の異物が付着したままの状態でホログラムラベル２０が被着体に貼り付けられ、高温多湿な環境下や水濡れ状態で長時間放置されると、蒸着層２３が電食（電気化学作用により金属が腐食する現象）によって腐食し、一部が溶解してしまうことがあった。
【０００６】
また、金属等の導電性のある被着体にホログラムラベル２０を貼り付けた場合にも、両金属間の電位差によって、被着体と蒸着層２３とが通電してしまい、電食が発生する可能性があった。
【特許文献１】特開２００２−３１１８３５号公報
【発明の開示】
【発明が解決しようとする課題】
【０００７】
本発明の課題は、高温多湿な環境下での使用や、金属等の導電性のある被着体への貼り付けであっても、薄膜状の金属層の電食を防止できる電食防止ラベルを提供することである。
【課題を解決するための手段】
【０００８】
本発明は、以下のような解決手段により、前記課題を解決する。なお、理解を容易にするために、本発明の実施例に対応する符号を付して説明するが、これに限定されるものではない。
請求項１の発明は、被着体に貼り付ける電食防止ラベルであって、所定の金属が薄膜状に形成された金属層（１３）と、前記金属層（１３）の下側に設けられ、前記被着体と前記金属層（１３）との通電を防止する通電防止層（１４）と、を備える電食防止ラベルである。
【０００９】
請求項２の発明は、請求項１に記載の電食防止ラベルにおいて、前記被着体に貼り付けるための粘着層（１５）を備え、前記通電防止層（１４）は、前記粘着層（１５）と別に設けられていること、を特徴とする電食防止ラベルである。
【００１０】
請求項３の発明は、請求項１又は請求項２に記載の電食防止ラベルにおいて、前記金属層（１３）の上側に設けられ、ホログラム画像が記録されるホログラム層（１２）、及び／又は、光の干渉を起こす回折格子層を備えること、を特徴とする電食防止ラベルである。
【００１１】
請求項４の発明は、請求項１から請求項３までのいずれか１項に記載の電食防止ラベルにおいて、前記通電防止層（１４）は、非導電性樹脂及び／又はフィルムであること、を特徴とする電食防止ラベルである。
【発明の効果】
【００１２】
本発明によれば、金属層の下側に通電防止層を備えるので、被着体と金属層との通電がなくなり、金属層の電食が防止できる。また、電食を防止することによって、金属層の特性を維持することができ、耐久性も向上する。
【００１３】
また、通電防止層は、粘着層と別に設けられているので、製造しやすく、また、被着体と金属層との距離がより離れるので、通電を確実に防止することができる。
【００１４】
さらに、金属層の上側に、ホログラム層及び／又は回折格子層を備えるので、金属層の電食が防止されていることにより、ホログラム層や回折格子層の性能を維持することができる。
【発明を実施するための最良の形態】
【００１５】
本発明は、高温多湿な環境下での使用や、金属等の導電性のある被着体への貼り付けであっても、薄膜状の金属層の電食を防止できる電食防止ラベルを提供するという目的を、薄膜状の蒸着層の下側に、非導電性樹脂やフィルム等の蒸着下層を設けることにより実現する。
【実施例１】
【００１６】
以下、図面等を参照して、本発明の実施例について、さらに詳しく説明する。
図１は、本発明による電食防止ラベルの実施例１を模式的に示す断面図である。
実施例１の電食防止ラベル１０は、金属等の導電性のある被着体に貼り付けるラベルであって、ＰＥＴ１１と、ホログラム層１２と、蒸着層（金属層）１３と、蒸着下層（通電防止層）１４と、粘着層１５と、剥離紙１６等とを備え、上から、この順に積層されている。
ＰＥＴ１１は、ホログラム層１２を外力による損傷から保護するためと、強度をもたせるためのものである。
【００１７】
ホログラム層１２は、白色光で再生できる２次元又は３次元画像をホログラム画像（絵柄）として記録したものであり、ホログラム画像のレリーフ面（凹凸模様）が下面に形成された樹脂の層である。
この樹脂の材質としては、熱可塑性樹脂、熱硬化性樹脂又はそれらの混合物を用いることができる。
【００１８】
蒸着層１３は、ホログラム層１２のホログラム性能（輝度や意匠性）を確保するためのものであり、屈折率の高いＡＬ（アルミ）等が薄膜状に形成されている。
【００１９】
蒸着下層１４は、被着体と蒸着層１３との通電を防止するものであり、例えば、非導電性樹脂（塩化ビニル樹脂、塩化酢酸ビニル樹脂、塩化ビニル−酢酸ビニル共重合体等）や、フィルム（ＰＥＴ、ＰＰ（ポリプロピレン）、塩化ビニル）等である。
また、蒸着下層１４の厚みは、通電を確実に防止するために、１μｍ以上が好ましい。
【００２０】
粘着層１５は、この電食防止ラベル１０を被着体に貼り付けるためのものであり、例えば、ゴム系粘着剤、アクリル系粘着剤等である。
【００２１】
剥離紙１６は、使用時まで粘着層１５を保護するシートであり、例えば、紙やプラスチックフィルム等から形成されており、粘着層１５側の面は、剥離を容易にするための剥離処理がなされている。
【００２２】
次に、実施例１の電食防止ラベル１０の製造方法について説明する。
（１）ＰＥＴ１１を用意する。
（２）ＰＥＴ１１上に、コーティング方式等によってホログラム層１２用の樹脂を塗布する。
（３）塗布した樹脂に、模様等が刻まれたロールを加熱しながら押しつけて凹凸模様をつけるエンボス加工を施してレリーフ面を形成し、ホログラム層１２を形成する。
（４）金属蒸着によって、ホログラム層１２上に蒸着層１３を形成する。
（５）蒸着層１３上に蒸着下層１４を形成する。
（６）蒸着下層１４上に粘着層１５用の粘着剤を塗布する。
（７）粘着層１５を剥離紙１６で覆う。
このようにして電食防止ラベル１０が完成したら、剥離紙１６を剥離して、被着体に貼り付ける。
【００２３】
このように、実施例１によれば、蒸着下層１４を設けたので、高温多湿な環境下での使用や、金属等の導電性のある被着体への貼り付けであっても、蒸着層１３が電食することがなくなり、ホログラム層１２のホログラム性能を維持することがきる。
したがって、ファンモータや車のエンジンルーム等の高温多湿な環境下で使用される偽造防止ラベルや、金属又は導電性製品へ貼り付ける真偽判定ラベル等に、この電食防止ラベル１０を好適に利用することができる。
【実施例２】
【００２４】
図２は、本発明による電食防止ラベルの実施例２を模式的に示す断面図である。
なお、前述した実施例１と同様な機能を果たす部分には、同一の符号又は末尾に統一した符号を付して、重複する説明や図面を適宜省略する。
実施例２の電食防止ラベル１０Ａと、実施例１の電食防止ラベル１０との異なる点は、ＰＥＴ１１とホログラム層１２との間に、剥離層１７とＯＰ層１８とが設けられている点である。
剥離層１７は、ＰＥＴ１１を剥離可能にする層であり、ＯＰ層１８は、下側のホログラム層１２を保護する層である。
この電食防止ラベル１０Ａは、いわゆる脆質ラベルと呼ばれるものであり、被着体に、電食防止ラベル１０Ａを貼り付けた後に、偽造、変造の目的でラベルを剥がそうとすると、ホログラム画像が破壊されるものである。脆質ラベルの一例として、一度開封すると脆質機能が作用し、開封履歴がのこる封緘ラベルがあるが、電食防止ラベル１０Ａは、それにホログラムを用いたものである。
【００２５】
このように、実施例２によれば、上述した実施例１のように、ホログラム性能を維持することができ、それによって、ホログラム層１２の上側の脆質機能も維持することができ、偽造防止効果を低下させることがない。
【実施例３】
【００２６】
図３は、本発明による電食防止ラベルの実施例３を模式的に示す断面図である。
実施例３の電食防止ラベル１０Ｂは、実施例１の電食防止ラベル１０と異なり、ホログラム層１２が設けられていない。
【００２７】
このように、実施例３によれば、実施例１と同様に蒸着層１３の電食を防止でき、以下のような種々の用途がある。
（１）蒸着層１３に金箔、銀箔等を用い、光沢を有するラベルとして利用できる。
（２）光学式エンコーダ等の測定機に用いる反射シールとして利用できる。このようにすれば、測定の精度を高精度に維持することができ、反射シールの耐久性も向上する。
（３）回転部のタイミング検知用ラベルとして利用できる。このようにすれば、長時間、多湿環境下で使用した場合であっても、蒸着層１３の反射効率を低下させることもない。
（４）部分蒸着で線引きしたラベルを作成し、金属の機器に貼り付けることができる。
（５）ＩＣカードの表面にラベルとして貼り付けることができる。このようにすれば、内部の金属のアンテナと通電することがない。
【００２８】
（変形例）
以上説明した実施例に限定されることなく、種々の変形や変更が可能であって、それらも本発明の均等の範囲内である。
ホログラムの例で説明したが、光の干渉を起こす回折格子でもよい。
また、金属蒸着で形成された蒸着層１４の例で説明したが、他の薄膜成形法で形成された金属層であってもよい。
さらに、粘着層１５に、蒸着下層１４で使用する材料を混合し、蒸着下層１４を省略してもよい。
さらにまた、実施例３の電食防止ラベル１０Ｂに、実施例２の脆質機能を用いてもよい。
【００２９】
以下、具体的な試験例をあげて、本発明をさらに詳しく説明する。
（試験例）
表１は、本発明による電食防止ラベルの耐久試験の試験結果を示したものである。
【００３０】
【表１】
2005248195.tif 000003
【００３１】
この実験では、実施例１の電食防止ラベル１０と、従来のホログラムラベル２０とを、金属等の導電性のある被着体に貼り付け、高温多湿な環境下（温度：６０°Ｃ、湿度：９０％）で耐久試験を行い、作業員の目視によって、蒸着層１３の電食の有無を確認した。
その結果、１２、２４時間後は、両者とも問題なかったが、９６時間後は、従来のホログラムラベル２０には、電食が確認され、実施例１の電食防止ラベル１０には、電食が確認されなかった。
また、実施例２の電食防止ラベル１０Ａや、実施例３の電食防止ラベル１０Ｂも同様の結果が得られた。
【００３２】
一方、タイミング検知用ラベルとしての電食防止ラベル１０Ｂと、従来のタイミング検知用ラベルとを、導電性のある回転体に貼り付け、上記試験環境と同じ条件で、反射型センサーによって、読み取りの可否を確認した。
その結果、９６時間後には、従来のタイミング検知用ラベルは、読み取りができなくなり、実施例３の電食防止ラベル１０Ｂは、読み取りが可能であった。
【００３３】
これらの結果により、蒸着下層１４を設けたラベルが、高温多湿な環境下での使用に適し、かつ、金属等の導電性のある被着体に有効であることがわかった。
【図面の簡単な説明】
【００３４】
【図１】本発明による電食防止ラベルの実施例１を模式的に示す断面図である。
【図２】本発明による電食防止ラベルの実施例２を模式的に示す断面図である。
【図３】本発明による電食防止ラベルの実施例３を模式的に示す断面図である。
【図４】従来のホログラムラベルの一例を模式的に示す断面図である。
【符号の説明】
【００３５】
１０、１０Ａ、１０Ｂ  電食防止ラベル
１１  ＰＥＴ
１２  ホログラム層
１３  蒸着層
１４  蒸着下層
１５  粘着層
１６  剥離紙
１７  剥離層
１８  ＯＰ層
【図１】
2005248195.tif 000004
【図２】
2005248195.tif 000005
【図３】
2005248195.tif 000006
【図４】
2005248195.tif 000007